(57)【特許請求の範囲】
【請求項１】
第一ポストと第二ポストとを有し、前記第一ポストと前記第二ポストとの間で幅を定義するラックと、
第一側面と第二側面とを有するシャーシと、
前記第一ポストに取り付けられている第一スライドレールキットと、
前記第二ポストに取り付けられている第二スライドレールキットと、
を備え、前記シャーシの第一側面は前記第一スライドレールキットに取り付けられ、前記シャーシの第二側面は前記第二スライドレールキットに取り付けられており、前記各スライドレールキットは第一レールと、第二レールと、第三レールとを有し、
前記第一レールの少なくとも一部は前記幅の外側に位置し、前記第二レール及び前記第三レールは前記幅の内側に位置し、
第一アームと、前記第一アームに対して可動的に連結される第二アームとを有し、前記第一スライドレールキットに取り付けられる束線アームと、
前記第一スライドレールキットの前記第一レールに連結される延出部材と、
を更に備え、前記束線アームの前記第一アームは前記第一スライドレールキットの前記延出部材に取り付けられ、前記束線アームの前記第二アームは前記第一スライドレールキットの前記第二レールに取り付けられることを特徴とするラックシステム。
【請求項２】
前記延出部材は前記ラックで画成される前記幅の内側に位置する、ことを特徴とする請求項１に記載のラックシステム。
【請求項３】
第一ポストと第二ポストとを有し、前記第一ポストと前記第二ポストとの間で幅を定義するラックと、
第一側面と第二側面とを有するシャーシと、
前記第一ポストに取り付けられている第一スライドレールキットと、
前記第二ポストに取り付けられている第二スライドレールキットと、
を備え、前記シャーシの第一側面は前記第一スライドレールキットに取り付けられ、前記シャーシの第二側面は前記第二スライドレールキットに取り付けられており、前記各スライドレールキットは第一レールと、第二レールと、第三レールとを有し、
前記第一レールの少なくとも一部は前記幅の外側に位置し、前記第二レール及び前記第三レールは前記幅の内側に位置し、
前記各スライドレールキットの前記第二レールは第一特徴部と、前記第一特徴部とは異なる形態の第二特徴部とを有しており、
前記シャーシは、前記第一特徴部及び前記第二特徴部にそれぞれ取り付け可能である第一取付特徴部と第二取付特徴部とを有することを特徴とするラックシステム。
【請求項４】
前記第一特徴部は第一孔であり、前記第二特徴部は第一突出部であり、前記第一取付特徴部は前記第一孔に取付可能な第二突出部であり、前記第二取付特徴部は前記第一突出部に取付可能な第二孔である、ことを特徴とする請求項３に記載のラックシステム。
【請求項５】
前記ラックは、前記第一ポスト及び前記第二ポストにそれぞれ対応する第三ポストと第四ポストとを更に備えており、前記第一ポスト及び前記第三ポストは前記第一スライドレールキットの取り付けに用いられ、前記第二ポスト及び前記第四ポストは前記第二スライドレールキットの取り付けに用いられる、ことを特徴とする請求項１−４のいずれか一項に記載のラックシステム。
【請求項６】
第一通路を有する第一レールと、
前記第一レールに対して可動的に移動する第二レールと、
前記第一レールの前記第一通路と前記第二レールとの間に可動的に設けられる第三レールと、
表面が前記第三レールの外面と同一面に位置し、前記第一レールに連結される延出部材と、を備えるスライドレールキットであって、
第一アームと、前記第一アームに対して可動的に連結される第二アームとを有し、前記スライドレールキットに取り付けられる束線アームをさらに備え、
前記束線アームの前記第一アームは前記スライドレールキットの前記延出部材に取り付けられ、前記束線アームの前記第二アームは前記スライドレールキットの前記第二レールに取り付けられる、ことを特徴とするスライドレールキット。
【請求項７】
前記延出部材が前記第一レールから延出する、ことを特徴とする請求項６に記載のスライドレールキット。
【発明の詳細な説明】
【技術分野】
【０００１】
本発明はラックシステム及びそのスライドレールキットに関し、特にスライドレールキットは広めのシャーシをその上に取り付け可能なものに関する。
【背景技術】
【０００２】
Ｊａｎｓｅｎ等が発明した特許文献１には、少なくとも一つのシャーシ（ｃｈａｓｓｉｓ）を載置するための二本のポスト（ｐｏｓｔｓ）を備えたラック（ｒａｃｋ）が開示されている。
【０００３】
また、Ｈａｎｅｙが発明した特許文献２では、ラックは四本のポストを備え、一対のスライドレールキットを介してシャーシがラックに取り付けられるようになっている。一般的には、電子工業会（Ｅｌｅｃｔｒｏｎｉｃ Ｉｎｄｕｓｔｒｉｅｓ Ａｓｓｏｃｉａｔｉｏｎ、ＥＩＡ）の基準によれば、ラックにおける二本のポストの間の内部幅は４５０ｍｍとなっている。
【先行技術文献】
【特許文献】
【０００４】
【特許文献１】米国特許第６,２２０,４５６Ｂ１号明細書
【特許文献２】米国特許第６,９７４,０３７Ｂ２号明細書
【発明の概要】
【発明が解決しようとする課題】
【０００５】
しかしながら、近年、シャーシを製造するメーカにおいて、シャーシの幅はますます広く設計する傾向にあり、このような傾向において、ラックとシャーシとの間のスライドレールの取り付け幅空間が狭くなり、スライドレールの取り付け配置を圧迫してしまう。現在の市場でのトレンドを満足させるために、本発明を発明した。
【０００６】
本発明の目的は、幅が幅広のシャーシでもスライドレールキットによりラックに取り付けることが可能なラックシステムを提供することにある。
【０００７】
本発明の他の目的は、シャーシの取り付けが可能であり、シャーシ後方のケーブルを整理するための束線アームを配置可能であるスライドレールキットを提供することにある。
【０００８】
本発明の更に他の目的は、シャーシを安定的に取り付け可能であるスライドレールキットを提供することにある。
【課題を解決するための手段】
【０００９】
本発明のラックシステムは、第一ポストと第二ポストとを有し、第一ポストと第二ポストとの間で幅を定義するラックと、第一側面と第二側面とを有するシャーシと、第一ポストに取り付けられている第一スライドレールキットと、第二ポストに取り付けられている第二スライドレールキットと、を備える。シャーシの第一側面は第一スライドレールキットに取り付けられ、シャーシの第二側面は第二スライドレールキットに取り付けられており、各スライドレールキットは第一レールと、第二レールと、第三レールとを有し、第一レールの少なくとも一部は幅の外側に位置し、第二レール及び第三レールは幅の内側に位置する。
【００１０】
さらに、本発明の他の観点によれば、第一アームと、第一アームに対して可動的に連結される第二アームとを有し、第一スライドレールキットに取り付けられる束線アームと、第一スライドレールキットの第一レールに連結される延出部材と、を更に備える。束線アームの第一アームは第一スライドレールキットの延出部材に取り付けられ、束線アームの第二アームは第一スライドレールキットの第二レールに取り付けられる。
【００１１】
さらに、本発明の他の観点によれば、延出部材はラックで画成される幅の内側に位置する。
【００１２】
さらに、本発明の他の観点によれば、各スライドレールキットの第二レールは第一特徴部と、第一特徴部とは異なる形態の第二特徴部とを有しており、シャーシは、第一特徴部及び第二特徴部にそれぞれ取り付け可能である第一取付特徴部と第二取付特徴部とを有する。
【００１３】
さらに、本発明の他の観点によれば、第一特徴部は第一孔であり、第二特徴部は第一突出部であり、第一取付特徴部は第一孔に取付可能な第二突出部であり、第二取付特徴部は第一突出部に取付可能な第二孔である。
【００１４】
さらに、本発明の他の観点によれば、ラックは、第一ポスト及び第二ポストにそれぞれ対応する第三ポストと第四ポストとを更に備えており、第一ポスト及び第三ポストは第一スライドレールキットの取り付けに用いられ、第二ポスト及び第四ポストは第二スライドレールキットの取り付けに用いられる。
【００１５】
本発明のスライドレールキットは、第一通路を有する第一レールと、第一レールに対して可動的に移動する第二レールと、第一レールの第一通路と第二レールとの間に可動的に設けられる第三レールと、表面が第三レールの外面と同一面に位置し、第一レールに連結される延出部材と、を備える。
【００１６】
さらに、本発明の他の観点によれば、第一アームと、第一アームに対して可動的に連結される第二アームとを有し、スライドレールキットに取り付けられる束線アームをさらに備え、束線アームの第一アームはスライドレールキットの延出部材に取り付けられ、束線アームの第二アームはスライドレールキットの第二レールに取り付けられる。
【００１７】
さらに、本発明の他の観点によれば、延出部材が第一レールから延出する。
【図面の簡単な説明】
【００１９】
【図１】本発明の一実施例におけるラックシステムを示し、一対のスライドレールキット、シャーシ及び束線アームを有することを示す配置概略図である。
【図２】本発明の一実施例のスライドレールキットの分解概略図である。
【図３】本発明の一実施例のシャーシをスライドレールキットに取り付けた状態を示す概略図である。
【図４】本発明の一実施例のシャーシをラックに取り付けた状態を示す概略図である。
【図５】本発明の一実施例における一対のスライドレールキットをラックに取り付けた状態を示す概略図である。
【図６】本発明の一実施例におけるシャーシがラック内から引き出される状態を示す概略図である。
【図７】本発明の一実施例のスライドレールキットとシャーシ及びラックとの間の取付配置を示す概略図である。
【図８】本発明のスライドレールキットの延出部材が第一レールから延出している形態を示す概略図である。
【発明を実施するための形態】
【００２０】
図１には、本発明の一実施例のラックシステムを示す。図１に示すように、ラックシステムは、シャーシ１２をラック（ｒａｃｋ）１４に取り付けるのに適したスライドレールキット１０を備える。このうち、ラック１４は、第一ポスト１６ａと、第二ポスト１６ｂと、第三ポスト１６ｃと、第四ポスト１６ｄとを備えている。第一ポスト１６ａと第二ポスト１６ｂとの間、及び、第三ポスト１６ｃと第四ポスト１６ｄとの間で第一幅Ｗ１を画成する。
【００２１】
シャーシ１２は、第一側面１８ａと第二側面１８ｂとを有する。スライドレールキット１０は、第一スライドレールキット２０と、第二スライドレールキット２２とを備えている。シャーシ１２の第一側面１８ａは第一スライドレールキット２０に取り付けられ、シャーシ１２の第二側面１８ｂは第二スライドレールキット２２に取り付けられる。第一スライドレールキット２０は、第一ポスト１６ａ及び第三ポスト１６ｃに取り付けられる。第二スライドレールキット２２は、第二ポスト１６ｂ及び第四ポスト１６ｄに取り付けられる。
【００２２】
図２及び図３には、第一スライドレールキット２０が第一レール２４と、第二レール２６と、第三レール２８とを有し、第一レール２４は固定レールとされ、第一通路３０を有することを示す。第二レール２６は少なくとも第一特徴部３２と、第一特徴部３２とは異なる第二特徴部３４とを有する。シャーシ１２は、第二レール２６の第一特徴部３２及び第二特徴部３４にそれぞれ取り付け可能である第一取付特徴部３６と第二取付特徴部３８とを少なくとも有する。好ましい実施例において、第二レール２６の第一特徴部３２は例えばキーホール（ｋｅｙ  ｈｏｌｅ）形状である第一孔の構造形態である。第二特徴部３４は、例えばＴ字状輪郭の柱状固定部材として着脱可能に取り付けられる第一突出部である。
【００２３】
本実施例において、第二特徴部３４は、第二レール２６の第一位置Ｐ１又は第二位置Ｐ２に取付可能である。よって、第二特徴部３４は、シャーシ１２に設けられる第一取付位置Ｍ１又は第二取付位置Ｍ２に位置する第二取付特徴部３８に、シャーシ１２の長さに応じて選択的に取り付け可能となっている。シャーシ１２の第一取付特徴部３６は、例えば柱状の固定部材が第二レール２６の第一特徴部３２（例えば第一孔）に取り付け可能である第二突出部である。シャーシ１２の第二取付特徴部３８は例えばキーホール（ｋｅｙ  ｈｏｌｅ）形状であり第二レール２６の第二特徴部３４（例えば第一突出部）に取付可能である第二孔の構造形態である。第三レール２８は第一レール２４の第一通路３０と第二レール２６との間に可動的に設けられており、第三レール２８により、第二レール２６が第一レール２４に対して開く方向に延出可能である。第三レール２８は第二通路３１を有し、この第二通路３１内で第二レール２６が移動可能である。
【００２４】
図４及び図５はシャーシ１２が第一スライドレールキット２０及び第二スライドレールキット２２によりラック１４に取り付けられている状態を示す。このうち、第一スライドレールキット２０及び第二スライドレールキット２２のうちの各々の第一レール２４のレール厚さの断面の少なくとも一部は、ラック１４で画成される第一幅Ｗ１の外側に位置する。各々の第二レール２６及び第三レール２８はラック１４で画成される第一幅Ｗ１の内側に位置する。
【００２５】
このような配置により、各々のスライドレールキット２０及び２２の第一レール２４の幅がラック１４で画成される第一幅Ｗ１の区間内を完全に占めるということはなくなり、幅広のシャーシ１２をラック１４上に取付可能とする使用形態を提供することができる。第三レール２８の第二通路３１は第二幅Ｗ２を有する。
【００２６】
再度図１〜図３を参照する。好ましい実施例において、本発明は更に、第一スライドレールキット２０の第一レール２４に連連結し、第一レール２４の長手方向に延びて形成される延出部材４０と、第一スライドレールキット２０に取り付けられる束線アーム４２とを備える。束線アーム４２は、第一アーム４４と、第一アーム４４に対して可動的に連結される第二アーム４６とを有している。束線アーム４２の第一アーム４４は延出部材４０に取り付けられ、束線アーム４２の第二アーム４６は第一スライドレールキット２０の第二レール２６に取り付けられる。
【００２７】
具体的な実施形態では、延出部材４０には、束線アーム４２の第一アーム４４が着脱可能に連結位置決めするための第一連結特徴４８が予め設けられる。第一スライドレールキット２０の第二レール２６には、束線アーム４２の第二アーム４６が着脱可能に連結位置決めするための第二連結特徴５０が予め設けられる。
【００２８】
ところで、図６に示すように、束線アーム４２の束線方式では、束線アーム４２の第一アーム４４は固定的な位置に、つまり延出部材４０に連結される。束線アーム４２の第二アーム４６は可動的な位置に、つまり第一スライドレールキット２０の第二レール２６に連結される。シャーシ１２がラック１４内から引き出された時、矢印方向Ｆに示すように、束線アーム４２が連動されて展開するということに注意されたい。なお、本実施形態において、シャーシ１２の引き出し方向（矢印方向Ｆ）と直交する方向が、シャーシ１２の幅方向に相当する。
【００２９】
図７には本発明の第一スライドレールキット２０がシャーシ１２をラック１４に取り付ける概略的な形態を示しており、このうち、第三レール２８の長さはラック１４の第一ポスト１６ａを超えるまで延出することはない。シャーシ１２の後端のケーブルを整理しなければならない場合には、本発明では延出部材４０は第一スライドレールキット２０の第一レール２４に連結（例えば固定的に連結又は係止）するものであり、好ましい実施例において、延出部材４０の表面５２は第三レール２８の外面５４と概ね同一面に位置しており、具体的に言えば、延出部材４０の厚さ断面はラック１４で画成される第一幅Ｗ１の区間内に位置する。又は、延出部材４０の厚さＴは第三レール２８の第二通路３１の第二幅Ｗ２を超えないため（図５に示す）、延出部材４０は第一レール２４の長さまで延出可能となり、束線アーム４２への固定位置とされて、且つ延出部材４０は第二レール２６の第一レール２４との相対的な移動に干渉することはない。上記配置によれば、図６に示すように、延出部材４０により、上記した束線アーム４２の第一アーム４４に連結可能となり、一つの固定的な位置とされ、上記した束線アーム４２の第二アーム４６が第二レール２６に連結して、可動的な位置とすることで、束線アーム４２に伸縮可能な機能を持たせる（図１に示す）。
【００３０】
他の実施形態として、図８に示すように、延出部材５６は第一レール２４と一体に形成され、第一レール２４から第一レール２４の延びる方向に延出するように構成しても良い。
【００３１】
本発明は、上述した実施例に限定されるものではなく、発明の趣旨を逸脱しない範囲で種々の形態で実施可能である。
【符号の説明】
【００３２】
１０      スライドレールキット、
１２      シャーシ、
１４      ラック、
１６ａ    第一ポスト、
１６ｂ    第二ポスト、
１６ｃ    第三ポスト、
１６ｄ    第四ポスト、
１８ａ    第一側面、
１８ｂ    第二側面、
２０      第一スライドレールキット、
２２      第二スライドレールキット、
２４      第一レール、
２６      第二レール、
２８      第三レール、
３０      第一通路、
３１      第二通路、
３２      第一特徴部、
３４      第二特徴部、
３６      第一取付特徴部、
３８      第二取付特徴部、
４０      延出部材、
４２      束線アーム、
４４      第一アーム
４６      第二アーム、
４８      第一連結特徴、
５０      第二連結特徴、
５２      表面、
５４      外面、
５６      延出部材、
Ｗ１      第一幅、
Ｗ２      第二幅、
Ｐ１      第一位置、
Ｐ２      第二位置、
Ｍ１      第一取付位置、
Ｍ２      第二取付位置、
Ｔ        厚さ。
【図１】
0006438501.tif 000002
【図２】
0006438501.tif 000003
【図３】
0006438501.tif 000004
【図４】
0006438501.tif 000005
【図５】
0006438501.tif 000006
【図６】
0006438501.tif 000007
【図７】
0006438501.tif 000008
【図８】
0006438501.tif 000009